(57)【要約】携帯端末の場所に関わらず、感度よく電波放送を受信可能とすることを目的とし、受信機と携帯端末とからなる受信システムを前提としている。ここで、携帯端末の指示手段が特定の指示を出すと、受信機の制御手段は、この指示情報に基づいて、少なくとも通信手段が送信する情報の選択制御をする。また、受信機の変換手段は、特定形式の情報を他の特定形式の情報（携帯端末での再生に適合した情報）に変換する。これによって、携帯端末では、当該端末に適合した情報を受信機から受信して再生することができる。
2002056486.tif 000002
【特許請求の範囲】
【請求項１】
特定形式の情報を他の特定形式の情報に変換する変換手段と、
上記変換手段で変換済の情報を携帯端末に送信、および携帯端末からの指示情報を受信する通信手段と、
上記通信手段が受信した携帯端末からの指示情報に基づいて、少なくとも上記通信手段が送信する情報の選択制御をする制御手段と、
を備えたことを特徴とする受信機。
【請求項２】
上記通信手段が、携帯端末の特性または状態に関する端末情報を携帯端末から受信し、上記変換手段が、該端末情報に応じた変換を行う請求の範囲第１項記載の受信機。
【請求項３】
上記端末情報が、携帯端末の表示手段の解像度、携帯端末の蓄積手段の全容量、携帯端末の蓄積手段の空容量、携帯端末の表示手段の表示色数、携帯端末に適合したデータフォーマットのうちの少なくとも１つを示す請求の範囲第２項記載の受信機。
【請求項４】
上記通信手段が、通信路の特性または状態に関する通信路情報を携帯端末から受信し、上記変換手段が、該通信路情報に応じた変換を行う請求の範囲第１項記載の受信機。
【請求項５】
上記通信路情報が、通信速度、通信品質レベルのうちの少なくとも１つを示す請求の範囲第４項記載の受信機。
【請求項６】
更に、特定形式の情報を蓄積し、該蓄積した情報を上記変換手段へ送る蓄積手段を備えた請求の範囲第１項記載の受信機。
【請求項７】
特定の指示を出す指示手段と、
上記指示手段からの指示情報を受信機に送信し、受信機からの情報を受信する通信手段と、
上記通信手段が受信した受信機からの情報を再生する再生手段と、
上記再生手段が再生した情報を表示する表示手段と、
を備えたことを特徴とする携帯端末。
【請求項８】
上記通信手段が、当該携帯端末の特性または状態に関する端末情報を受信機に送信する請求の範囲第７項記載の携帯端末。
【請求項９】
上記端末情報が、当該携帯端末の表示手段の解像度、当該携帯端末の蓄積手段の全容量、当該携帯端末の蓄積手段の空容量、携帯端末の表示手段の表示色数、携帯端末に適合したデータフォーマットのうちの少なくとも１つを示す請求の範囲第８項記載の携帯端末。
【請求項１０】
上記通信手段が、通信路の特性または状態に関する通信路情報を受信機に送信する請求の範囲第７項記載の携帯端末。
【請求項１１】
上記通信路情報が、通信速度、通信品質レベルのうちの少なくとも１つを示す請求の範囲第１０項記載の携帯端末。
【請求項１２】
更に、上記通信手段が受信した情報を蓄積し、該蓄積した情報を上記再生手段へ送る蓄積手段を備えた請求の範囲第７項記載の携帯端末。
【請求項１３】
受信機と携帯端末とからなる受信システムであって、
上記受信機が、
特定形式の情報を他の特定形式の情報に変換する変換手段と、
上記変換手段で変換済の情報を携帯端末に送信、および携帯端末からの指示情報を受信する通信手段と、
上記通信手段が受信した携帯端末からの指示情報に基づいて、少なくとも上記通信手段が送信する情報の選択制御をする制御手段と、
を備え、
上記携帯端末が、
特定の指示を出す指示手段と、
上記指示手段からの指示情報を受信機に送信し、受信機からの情報を受信する通信手段と、
上記通信手段が受信した受信機からの情報を再生する再生手段と、
上記再生手段が再生した情報を表示する表示手段と、
を備えたことを特徴とする受信システム。
【発明の詳細な説明】
技術分野
本発明は、電波放送を受信して再生するシステムに関する。
技術背景
近年、携帯電話等の通信機能を有する携帯端末で電波放送を受信して再生する技術が提案されている。
すなわち、電波放送されているテレビ番組を携帯端末のアンテナで受信する。そして、このように受信したテレビ番組を液晶ディスプレイ等に表示するようになっている。
しかしながら、上記従来技術によると、携帯端末の場所によっては感度よく電波放送を受信できないという問題があった。もちろん、この問題は、携帯端末の使用場所を制限すれば解決するが、このような制限を設けると、場所を選ばず使用できるという携帯端末の特徴を損ねることになる。
ところで、テレビ放送を受信することが可能な受信機と、この受信機とワイヤレス通信で結ばれたモニタとからなる簡易受信システムが市販されている。この簡易受信システムによると、上記した問題が解決するようにも思える。
しかしながら、上記簡易受信システムでは、特定の解像度等の特性を持ったモニタでテレビ放送を閲覧することを想定している、すなわち、不特定の特性を持った携帯端末でテレビ放送を閲覧することは想定していない。したがって、上記簡易受信システムで採用している受信機と通信することが可能な携帯端末を用いたとしても、この携帯端末のモニタの解像度と、上記簡易受信システムで採用しているモニタの解像度とが異なると、以下の課題が生じる。
すなわち、上記簡易受信システムで採用しているモニタよりも高解像度のモニタで再生した場合は映像品質が低下するという課題がある。一方、上記簡易受信システムで採用しているモニタよりも低解像度のモニタで再生した場合は、ある範囲の映像しか再生することができない、さらには、そもそも再生することができないといった再生不良が生じてしまう。
もっとも、低解像度のモニタで再生することが予めわかっている状況下では、それに応じたデータサイズの小さい映像を用いればよい。つまり、上記簡易受信システムで採用しているモニタよりも低解像度のモニタで再生した場合は、この再生対象となる映像のデータサイズが、本来要求されるデータサイズに比して大きくなるといった課題もある。
本発明は、上記従来の事情に基づいて提案されたものであって、不特定の特性を持った携帯端末を採用した場合でも、この携帯端末の場所に関わらず、放送された番組を再生可能とすることを目的とする。
発明の開示
本発明は、上記目的を達成するため、図１に示すように受信機１１０と携帯端末１２０とからなる受信システムを前提としている。
ここで、上記受信機１１０は以下の手段を備えている。
すなわち、変換手段１１２は、特定形式の信号（ここでは「信号」と記載するが、この信号は、映像情報および／または音声情報、データ放送によるマルチメディア情報やモノメディア情報、スクリプトのようなプログラム情報、更にはこれらの複合情報などを示す。）を他の特定形式の信号に変換する。また、通信手段１１３は、上記変換手段１１２で変換済の信号を携帯端末１２０に送信、および携帯端末１２０からの指示信号を受信する。更に、制御手段１１４は、上記通信手段１１３が受信した携帯端末１２０からの指示信号に基づいて、少なくとも上記通信手段１１３が送信する信号の選択制御をする。
一方、上記携帯端末１２０は以下の手段を備えている。
すなわち、指示手段１２１は、特定の指示を出す。また、通信手段１２２は、上記指示手段１２１からの指示信号を受信機１１０に送信し、受信機１１０からの信号を受信する。更に、再生手段１２４は、上記通信手段１２２が受信した受信機１１０からの信号を再生する。加えて、表示手段１２５は、上記再生手段１２４が再生した信号を表示する。
ここで、上記受信機１１０は、感度よく電波放送を受信できる場所に設置しておく。このようにすれば、上記携帯端末１２０の場所に関わらず、感度よく電波放送を受信することが可能である。
ところで、受信機１１０が備える変換手段１１２の変換方法を一意に定めると、例えば、携帯端末１２０が備える表示手段１２５の解像度の違いによって映像品質が低下するという不具合が生じる。そこで、本発明では、受信機１１０の通信手段１１３が、携帯端末１２０の特性または状態に関する端末情報を携帯端末１２０から受信し、上記変換手段１１２が、該端末情報に応じた変換を行う構成を採用している。
なお、上記端末情報は、携帯端末１２０の表示手段１２５の解像度、携帯端末１２０の蓄積手段１２３の全容量、携帯端末１２０の蓄積手段１２３の空容量、携帯端末の表示手段１２５の表示色数、携帯端末に適合したデータフォーマットのうちの少なくとも１つを示す。
発明を実施するための最良の形態
図１は、本発明を適用したテレビ受信システムの構成図である。
本テレビ受信システムはテレビ受信機１１０と携帯端末１２０とからなり、以下、テレビ受信機１１０側の動作について説明する。なお、このテレビ受信機１１０は、電波放送（ここではＢＳデジタル放送）を感度よく受信できる場所に設置しておく。
まず、テレビ受信機１１０の通信手段１１３が携帯端末１２０から指示信号を取得すると（図２、ステップＳ２０１）、制御手段１１４は、この指示信号に基づいて変換手段１１２または受信手段１１６を制御するようになっている。
上記指示信号とは、携帯端末１２０からテレビ受信機１１０に対して出されたあらゆる種類の指示信号をいう。具体的には、後述する「端末情報」「通信路情報」「番組を特定するための情報」なども、ここでいう指示信号である。
受信手段１１６は、アンテナ１１５で受信された電波から目的のチャンネルの電波を選択し、例えばハードディスク等の蓄積手段１１１にＭＰＥＧ２フォーマットの信号として入力するようになっている。これによって、蓄積手段１１１には複数のデータが蓄積されることになるので、制御手段１１４は、上記のように受信した指示信号に基づいて、上記複数のデータの中から、携帯端末１２０に送信する映像や音声やデータ（以下、これらを単に「映像Ａ」と記す）を決定する（図２、ステップＳ２０２）。
なお、上記映像Ａを決定するに必要な情報をテレビ受信機１１０の操作手段（図示せず）から予め設定しておくようにしてもよい。このようにすれば、携帯端末１２０からの指示信号がない場合や、この指示信号だけでは映像Ａを決定できない場合であっても、制御手段１１４は、上記操作手段からの設定情報に基づいて映像Ａを決定することが可能である。
次いで、制御手段１１４は、上記のように決定した映像Ａが蓄積手段１１１に蓄積されているか否かを判定（図２、ステップＳ２０３）し、蓄積されていないと判定した場合は処理を終了する。もちろん、処理を終了する前に、指示された映像Ａが蓄積されていない旨を携帯端末１２０に通知するようにしてもよい。
一方、映像Ａが蓄積手段１１１に蓄積されていると判定した場合の制御手段１１４は、この映像Ａからパラメータを取得する（図２、ステップＳ２０４）。
上記パラメータとは映像Ａに関する情報であり、具体的には、映像解像度・秒間フレーム数・圧縮率・容量・時間などをいう。ここでは、ＢＳデジタル放送における１時間のテレビ番組をＭＰＥＧ２フォーマットの信号で受信した場合を想定し、上記映像Ａの映像解像度は７２０×４８０ピクセル、秒間フレーム数は３０フレーム／ｓｅｃ、高画質（低圧縮率）、容量は２．０ＧＢとして説明する。
次いで、制御手段１１４は、通信手段１１３を介して携帯端末１２０から端末情報を取得し（図２、ステップＳ２０５）、この端末情報を変換手段１１２に渡す。
ここで、上記端末情報とは、携帯端末１２０の特性または状態に関する情報であり、具体的には、携帯端末１２０が備える表示手段１２５（例えばディスプレイ）の解像度や、携帯端末１２０が備える蓄積手段１２３（例えばハードディスク）の全容量または空容量、更には、携帯端末１２０の表示手段１２５の表示色数、携帯端末１２０に適合したデータフォーマット（例えばＭＰＥＧ４）、携帯端末１２０の機種などを示す情報をいう。
以下、上記表示手段１２５の解像度が１８０×１２０ピクセルを示し、また、上記蓄積手段１２３の空容量が３２ＭＢを示す端末情報を変換手段１１２が制御手段１１４から受けた場合を例に説明する。
まず、変換手段１１２は、端末情報に応じた映像Ａの変換方法を求める（図２、ステップＳ２０６）。すなわち、上記したように、映像Ａの容量は２．０ＧＢであるのに対し、携帯端末１２０が備える蓄積手段１２３の空容量は３２ＭＢである。従って、映像Ａを変換することなく携帯端末１２０に送信すると、この携帯端末１２０が備える蓄積手段１２３に当該映像を正常に蓄積することができない。
そこで、このような場合は、例えば「映像解像度１８０×１２０ピクセル、秒間フレーム数３フレーム／ｓｅｃ、低画質（高圧縮率）、容量３０ＭＢに変換する方法」を映像Ａの変換方法とする。すなわち、この場合の変換手段１１２は、秒間フレーム数と画質（圧縮率）とを調整することで、映像Ａの容量を上記蓄積手段１２３の空容量（すなわち３２ＭＢ）以下に変換する方法を求めるようになっている。
一方、適切な変換方法が求まらなかった場合は、その旨を携帯端末１２０に通知する等、所定の失敗処理を行う（図２、ステップＳ２０７→Ｓ２１０）。
最後に、変換手段１１２は、上記のように求めた変換方法によって映像Ａを映像Ｂに変換し、更に、この映像Ｂのフォーマットを、例えばＭＰＥＧ４フォーマットなど携帯端末１２０に適合したフォーマットに変換する（図２、ステップＳ２０８）。
以上のように、特定形式の映像Ａが他の特定形式の映像Ｂに変換されると、この映像Ｂは、通信手段１１３を介して携帯端末１２０へ送信されるようになっている（図２、ステップＳ２０９）。ここでいう「形式」の変換には、フォーマットの変換だけでなく、秒間フレーム数や画質の変換なども含まれることはいうまでもない。
以下、図３に従って携帯端末１２０側の動作を説明する。
まず、番組を特定するための情報（例えば、時刻やチャンネルなど）を携帯端末１２０が備えるボタン等を用いて入力すると、この入力信号を受け付けた指示手段１２１は、当該番組を送信するように通信手段１２２を介してテレビ受信機１１０に指示する（図３、ステップＳ３０１）。
すなわち、上記動作によって、携帯端末１２０からテレビ受信機１１０に指示信号が送信されることになる。なお、ここでいう指示信号は、上記したように、番組を特定するための情報だけに限定されるものではない。例えば、テレビ受信機１１０の電源オン／オフを制御するための信号なども上記指示信号に含まれる。
次いで、指示手段１２１は、予め保持している端末情報を通信手段１２２経由でテレビ受信機１１０へ送信する（図３、ステップＳ３０２）。もちろん、本発明は、指示手段１２１が端末情報を予め保持している形態に限定されるものではない。例えば、図示しない端末情報保持手段に端末情報を予め保持しておき、この端末情報保持手段の内容を指示手段１２１が参照するようにしても同様の効果が得られる。
その後、当該携帯端末１２０に適合するフォーマットに変換された映像Ｂをテレビ受信機１１０から受信すると（図３、ステップＳ３０３）、この映像Ｂは、蓄積手段１２３に蓄積されるようになっている。そして、このように蓄積された映像Ｂは、再生手段１２４によって再生された後、例えば液晶ディスプレイ等の表示手段１２５に表示されるようになっている（図３、ステップＳ３０４）。
以上のように、本発明によれば、テレビ受信機１１０を介在させる構成を採用しているため、携帯端末１２０の場所に関わらず、感度よく電波放送を受信することが可能である。
また、本発明では、端末情報に応じた変換を行う構成を採用しているため、特定の特性を持った携帯端末１２０しか採用できないという不具合が生じないのはもちろん、携帯端末１２０が備える蓄積手段１２３に映像を正常に蓄積することができないという不具合や、携帯端末１２０が備える表示手段１２５の解像度の違いによって映像品質が低下するという不具合は生じない。
なお、上記の説明では、指示信号を取得（図２、ステップＳ２０１）した後、端末情報を取得（図２、ステップＳ２０５）することとしているが、この端末情報の取得ステップ（図２、ステップＳ２０５）は、映像Ａの変換方法を求めるステップＳ２０６より前であればよい。例えば、指示信号だけでなく端末情報をもステップＳ２０１で取得するようにすれば、テレビ受信機１１０−携帯端末１２０間の通信が一度となり、処理効率が向上する。
また、テレビ受信機１１０の通信手段１１３−携帯端末１２０の通信手段１２２間において、著作権保護や課金に関連する処理を行うようにしてもよい。このようにすれば、著作権を持つコンテンツを本発明で扱える効果がある。
更に、上記の説明では、テレビ受信機１１０の蓄積手段１１１及び携帯端末１２０の蓄積手段１２３としてハードディスクを例示しているが、これら蓄積手段１１１・１２３は、映像や音声やデータを蓄積できる手段であればよい。例えば、ＳＤカードなどの半導体カードのように、テレビ受信機１１０や携帯端末１２０から取り外し可能な手段によっても上記と同様の効果が得られる。もちろん、この場合は、テレビ受信機１１０側・携帯端末１２０側にＳＤカードスロットを備えておく。
また更に、テレビ受信機１１０の通信手段１１３及び携帯端末１２０の通信手段１２２は、少なくとも情報の授受が可能な手段であればよく、その具体的態様は特に限定されるものではない。
例えば、ＳＤカードなどの半導体カードをテレビ受信機１１０−携帯端末１２０間で移送するようにしてもよい。このようにすれば、特別な通信手段を備えていなくてもＳＤカードスロットを備えた端末である以上、上記と同様の効果が得られる。
或いは、情報の授受機能と上記指示手段１２１の機能とを携帯端末１２０の充電器に持たせるようにしてもよい。このようにすれば、携帯端末１２０を充電器にセットすると、この携帯端末１２０とテレビ受信機１１０とが、充電のための電力線、その他の通信回線、あるいは無線により自動的に通信することになるため、上記のように携帯端末１２０が備えるボタン等を用いてユーザが通信のための操作をする必要がなくなる。
また更に、携帯端末１２０からテレビ受信機１１０へ端末情報を送信する方法は上記した方法に限定されるものではない。例えば、端末情報が取り得る値をコード（数字列など）と対応付けた表を予めテレビ受信機１１０側に保持しておき、携帯端末１２０からは端末情報の値に代えて上記コードを送信するようにする。そして、テレビ受信機１１０では、受信した上記コードに基づいて上記対応表から端末情報の値を得るようにする。このようにすれば、通信量を低減させる効果はもちろん、テレビ受信機１１０で映像の変換方法を決定する処理が単純になる効果もある。
また更に、上記の説明では、アンテナ１１５でテレビ放送を受信することとしているが、放送の形態は、衛星放送や地上放送のような無線放送であっても、ケーブルテレビ放送のような有線放送であってもよいし、また、公衆回線あるいはＬＡＮ（Ｌｏｃａｌ　Ａｒｅａ　Ｎｅｔｗｏｒｋ）等の通信手段を用いた放送であってもよい。もちろん、インターネットを用いた放送であってもよい。
また更に、上記テレビ受信機１１０は、映像データや音声データを一元的に管理するホームサーバ或いは家庭外のサーバでもよい。上記蓄積手段１１１に蓄積されている映像Ａを再生する再生手段１１７と、この再生手段１１７によって再生された映像Ａを表示する表示手段１１８とを上記テレビ受信機１１０に備えてもよいのはもちろんである。
また更に、上記の説明では、テレビ受信機１１０・携帯端末１２０ともに蓄積手段１１１・１２３を備えた構成を例示しているが、本発明はこれに限定されるものではない。すなわち、受信した信号を蓄積することなく直ちに再生すればよい状況下では上記蓄積手段１１１・１２３が不要である。
また更に、上記の説明では、携帯端末１２０のユーザによって指定された番組のみがテレビ受信機１１０の蓄積手段１１１に蓄積されることになるが、本発明はこれに限定されるものではない。すなわち、放送される番組の全部あるいは一部をテレビ受信機１１０の蓄積手段１１１へ（さらには、通信手段１１３・１２２を介して携帯電話１２０の蓄積手段１２３へ）自動的に蓄積するようにしてもよい。このようにすれば、例えばプロ野球中継のみを自動的に蓄積することも可能になり、利便性が高まる。
また更に、上記の説明では、どの時点で映像Ｂの再生を携帯端末１２０側で開始するかについては特に言及していないが、この再生開始時点は特に限定されるものではない。すなわち、映像Ｂの全部が携帯端末１２０の蓄積手段１２３に蓄積された後に再生を開始するようにしてもよいし、あるいは、映像Ｂの一部（例えば１０分の１）が携帯端末１２０の蓄積手段１２３に蓄積された時点で再生を開始するようにしてもよい。
ただし、このように、映像Ｂの一部が携帯端末１２０の蓄積手段１２３に蓄積された時点で再生を開始する構成を採用した場合は、上記端末情報に応じた変換に代えて（または、上記端末情報に応じた変換を行うとともに）、通信路情報に応じた変換を行うのが好ましい。この通信路情報とは、以下に説明するように、通信速度や通信品質レベルなど、通信路の特性または状態に関する情報をいう。
すなわち、携帯端末１２０からテレビ受信機１１０に通信手段１２２・１１３を介して通信路情報を通知するようにしておく。これによって、テレビ受信機１１０の変換手段１１２は、例えば、通信速度が６４ｋｂｐｓである旨の通信路情報を受けた場合は秒間フレーム数が１０フレーム／ｓｅｃとなるように、また、通信速度が３２ｋｂｐｓである旨の通信路情報を受けた場合は秒間フレーム数が５フレーム／ｓｅｃとなるように映像Ａを変換するようになっている。
このようにすれば、通信速度にかかわらず、目的のフレームを携帯端末１２０へ送信することができる。もっとも、ここでは通信速度が遅くなると秒間フレーム数を少なくすることとしているが、本発明はこれに限定されるものではない。すなわち、通信速度が遅くなると、映像Ａの画質を低下させる（圧縮率を上げる）ようにしてもかまわない。
以上のように、本発明によれば、テレビ受信機を介在させる構成を採用しているため、携帯端末の場所に関わらず、感度よく電波放送を受信することが可能である。
また、本発明では、端末情報に応じた変換を行う構成を採用しているため、特定の特性を持った携帯端末１２０しか採用できないという不具合が生じないのはもちろん、携帯端末が備える蓄積手段に映像を正常に蓄積することができないという不具合や、携帯端末が備える表示手段の解像度の違いによって映像品質が低下するという不具合は生じない。
なお、上記の説明ではテレビ受信機を例示したが、本発明を適用することが可能な装置はテレビ受信機に限定されるものではない。すなわち、映像情報および／または音声情報、データ放送によるマルチメディア情報やモノメディア情報、スクリプトのようなプログラム情報、更にはこれらの複合情報などを放送あるいは通信により受信可能な装置であれば本発明を適用することができる。
また、上記の説明では、テレビ受信機１１０に蓄積手段１１１を備え、この蓄積手段１１１に複数のデータを蓄積することとしているが、本発明はこれに限定されるものではない。すなわち、テレビ受信機１１０の蓄積手段１１１をデータのキャッシュあるいはバッファとして用いることにより、テレビ受信機１１０から携帯端末１２０へリアルタイムにデータを送信する構成にしてもよい。
【図面の簡単な説明】
図１．本発明を適用したテレビ受信システムの構成図
図２．本発明を適用したテレビ受信機の動作を説明したフローチャート
図３．本発明を適用した携帯端末の動作を説明したフローチャート
【図１】
2002056486.tif 000003
【図２】
2002056486.tif 000004
【図３】
2002056486.tif 000005
【手続補正書】
【提出日】平成15年1月17日(2003.1.17)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
特定形式の情報を他の特定形式の情報に変換する変換手段と、上記変換手段で変換済の情報を携帯端末に送信、および携帯端末からの指示情報を受信する通信手段と、上記通信手段が受信した携帯端末からの指示情報に基づいて、少なくとも上記通信手段が送信する情報の選択制御をする制御手段とを備えた受信機であって、
上記通信手段が、携帯端末の蓄積手段の全容量、携帯端末の蓄積手段の空容量、携帯端末に適合したデータフォーマットのうちの少なくとも１つを示す端末情報を携帯端末から受信し、上記変換手段が、該端末情報に応じた変換を行うことを特徴とする受信機。
【請求項４】
上記通信手段が、通信路の特性または状態に関する通信路情報を携帯端末から受信し、上記変換手段が、該通信路情報に応じた変換を行う請求の範囲第３項記載の受信機。
【請求項５】
上記通信路情報が、通信速度、通信品質レベルのうちの少なくとも１つを示す請求の範囲第４項記載の受信機。
【請求項６】
更に、特定形式の情報を蓄積し、該蓄積した情報を上記変換手段へ送る蓄積手段を備えた請求の範囲第３項記載の受信機。
【請求項７】
削除
【請求項８】
削除
【請求項９】
特定の指示を出す指示手段と、上記指示手段からの指示情報を受信機に送信し、受信機からの情報を受信する通信手段と、上記通信手段が受信した受信機からの情報を再生する再生手段と、上記再生手段が再生した情報を表示する表示手段とを備えた携帯端末であって、
上記通信手段が、当該携帯端末の蓄積手段の全容量、当該携帯端末の蓄積手段の空容量、当該携帯端末に適合したデータフォーマットのうちの少なくとも１つを示す端末情報を受信機に送信することを特徴とする携帯端末。
【請求項１０】
上記通信手段が、通信路の特性または状態に関する通信路情報を受信機に送信する請求の範囲第９項記載の携帯端末。
【請求項１１】
上記通信路情報が、通信速度、通信品質レベルのうちの少なくとも１つを示す請求の範囲第１０項記載の携帯端末。
【請求項１２】
更に、上記通信手段が受信した情報を蓄積し、該蓄積した情報を上記再生手段へ送る蓄積手段を備えた請求の範囲第９項記載の携帯端末。
【請求項１３】
受信機と携帯端末とからなる受信システムであって、
上記携帯端末側に、当該携帯端末の蓄積手段の全容量、当該携帯端末の蓄積手段の空容量、当該携帯端末に適合したデータフォーマットのうちの少なくとも１つを示す端末情報を受信機に送信する通信手段と、
上記受信機側に、上記端末情報を携帯端末から受信する通信手段と、
上記受信機側に、上記端末情報に基づいて、特定形式の情報を他の特定形式の情報に変換する変換手段と、
上記受信機側に、上記変換済の情報を携帯端末に送信する通信手段と、
上記携帯端末側に、上記変換済の情報を受信機から受信する通信手段と、
上記携帯端末側に、上記変換済の情報を再生する再生手段と、
上記携帯端末側に、上記再生した情報を表示する表示手段と、
を備えたことを特徴とする受信システム。
【請求項１４】
受信機からの情報を携帯端末で受信する受信方法であって、
上記携帯端末が、当該携帯端末の蓄積手段の全容量、当該携帯端末の蓄積手段の空容量、当該携帯端末に適合したデータフォーマットのうちの少なくとも１つを示す端末情報を受信機に送信する通信ステップと、
上記受信機が、上記端末情報を携帯端末から受信する通信ステップと、
上記受信機が、上記端末情報に基づいて、特定形式の情報を他の特定形式の情報に変換する変換ステップと、
上記受信機が、上記変換済の情報を携帯端末に送信する通信ステップと、
上記携帯端末が、上記変換済の情報を受信機から受信する通信ステップと、
上記携帯端末が、上記変換済の情報を再生する再生ステップと、
上記携帯端末が、上記再生した情報を表示する表示ステップと、
を備えたことを特徴とする受信方法。
【請求項１５】
コンピュータに、
特定形式の情報を他の特定形式の情報に変換する変換手段と、
上記変換手段で変換済の情報を携帯端末に送信、および携帯端末からの指示情報を受信する通信手段と、
上記通信手段が受信した携帯端末からの指示情報に基づいて、少なくとも上記通信手段が送信する情報の選択制御をする制御手段と、
携帯端末の蓄積手段の全容量、携帯端末の蓄積手段の空容量、携帯端末に適合したデータフォーマットのうちの少なくとも１つを示す端末情報を携帯端末から受信する上記通信手段と、
該端末情報に応じた変換を行う上記変換手段と、
を実現させるためのプログラム。
【請求項１６】
コンピュータに、
特定の指示を出す指示手段と、
上記指示手段からの指示情報を受信機に送信し、受信機からの情報を受信する通信手段と、
上記通信手段が受信した受信機からの情報を再生する再生手段と、
上記再生手段が再生した情報を表示する表示手段と、
当該コンピュータの蓄積手段の全容量、当該コンピュータの蓄積手段の空容量、当該コンピュータに適合したデータフォーマットのうちの少なくとも１つを示す端末情報を受信機に送信する上記通信手段と、
を実現させるためのプログラム。
【手続補正２】
【補正対象書類名】明細書
【補正対象項目名】０００３
【補正方法】変更
【補正の内容】
【０００３】
記通信手段１１３が送信する信号の選択制御をする。
一方、上記携帯端末１２０は以下の手段を備えている。
すなわち、指示手段１２１は、特定の指示を出す。また、通信手段１２２は、上記指示手段１２１からの指示信号を受信機１１０に送信し、受信機１１０からの信号を受信する。更に、再生手段１２４は、上記通信手段１２２が受信した受信機１１０からの信号を再生する。加えて、表示手段１２５は、上記再生手段１２４が再生した信号を表示する。
ここで、上記受信機１１０は、感度よく電波放送を受信できる場所に設置しておく。このようにすれば、上記携帯端末１２０の場所に関わらず、感度よく電波放送を受信することが可能である。
ところで、受信機１１０が備える変換手段１１２の変換方法を一意に定めると、例えば、携帯端末１２０が備える表示手段１２５の解像度の違いによって映像品質が低下するという不具合が生じる。そこで、本発明では、受信機１１０の通信手段１１３が、携帯端末１２０の特性または状態に関する端末情報を携帯端末１２０から受信し、上記変換手段１１２が、該端末情報に応じた変換を行う構成を採用している。
なお、上記端末情報は、携帯端末１２０の蓄積手段１２３の全容量、携帯端末１２０の蓄積手段１２３の空容量、携帯端末に適合したデータフォーマットのうちの少なくとも１つを示す。
図面の簡単な説明
図１．本発明を適用したテレビ受信システムの構成図
図２．本発明を適用したテレビ受信機の動作を説明したフローチャート




【国際調査報告】
2002056486.tif 000006
2002056486.tif 000007
2002056486.tif 000008
2002056486.tif 000009